(57)【特許請求の範囲】
【請求項１】
録画装置を接続して録画をする録画用出力チャンネルの変更を禁止するチャンネルロック状態に設定あるいは設定解除することができるチャンネルロック機構を有するＢＳデジタル受信機において、前記録画装置に現在流れているＡＣ電源電流量を検出するＡＣ電源電流検出手段と、ＢＳデジタル放送信号に含まれて送信されてくる、各種の録画装置と該録画装置毎の動作状態種別と該動作状態種別毎における消費ＡＣ電源電流量とに関わる動作状態情報を受信し、抽出し、かつ、解読することができる動作状態情報解読手段と、該動作状態情報解読手段により解読された前記動作状態情報の中から、当該ＢＳデジタル受信機に接続されている前記録画装置に該当する録画装置を特定することができる録画装置特定手段と、該録画装置特定手段により特定された該録画装置の前記消費ＡＣ電源電流量と前記ＡＣ電源電流検出手段により検出された前記ＡＣ電源電流量とを比較判定する比較判定手段と、を具備し、該比較判定手段により比較判定された前記ＡＣ電源電流量に基づいて、前記チャンネルロック機構を制御して、前記チャンネルロック状態の設定あるいは設定解除を行なわしめることが可能なチャンネルロック制御手段を具備していることを特徴とするＢＳデジタル受信機。
【請求項２】
請求項１に記載のＢＳデジタル受信機において、前記比較判定手段が、当該ＢＳデジタル受信機に接続されている前記録画装置に現在流れている前記ＡＣ電源電流量が、該録画装置の録画動作状態、あるいは、録画再生動作状態にあることを示すＡＣ電源電流量にあると判定された場合に、前記チャンネルロック制御手段をして、前記チャンネルロック機構を制御せしめて、前記チャンネルロック状態の設定を行なわしめることを特徴とするＢＳデジタル受信機。
【請求項３】
請求項１又は２に記載のＢＳデジタル受信機において、前記チャンネルロック機構により前記チャンネルロック状態に設定された際に、該チャンネルロック状態に設定されている旨を表示することが可能であることを特徴とするＢＳデジタル受信機。
【発明の詳細な説明】
【０００１】
【発明の属する技術分野】
本発明は、ＢＳ放送を受信するＢＳデジタル受信機に関し、特に、録画用に出力する録画出力用チャンネルをロックする制御が可能なＢＳデジタル受信機に関する。
【０００２】
【従来の技術】
ＢＳデジタル受信機において、ＢＳ放送番組をビデオレコーダ装置などからなる録画装置に録画するために、録画用出力チャンネルをロックするチャンネルロック方法に関しては、従来、タイマ予約等により、あらかじめ設定された予約時間帯においてのみチャンネルロックする方法が、広く知られている。
【０００３】
例えば、ビデオテープレコーダＶＴＲ装置等の外部接続録画機器の録画開始と同時に、録画動作を開始した外部接続録画機器への受信チャンネルをロックすることにより、誤って、録画動作中に、当該外部接続録画機器への受信チャンネルが切り替えられてしまうことを防止する技術としては、特開平４−３１３８７９号公報「磁気記録再生装置」に開示されている技術がある。該公報において開示されている磁気記録再生装置の構成について、図６を用いて説明する。
【０００４】
即ち、リモコン（図示していない）の録画キーを操作した際に、リモートコントロール受信回路６９を介して、該録画キーの操作信号を受信した制御回路６３は、走行メカニズム６１及び記録回路６２に対して、定速走行開始指令及び録画開始指令を出力して録画を開始させる。
【０００５】
次に、切替回路６５が接点アの位置にある場合（即ち、通常、録画開始前に、使用者の入力切替操作により、ＢＳチューナ６６からのビデオ情報を、入力端子６７を介して取り込むための位置に、切替回路６５を切り替えた場合）、制御回路６３は、以降の受信チャンネルの切替を禁止するために、切替回路７２を制御して、ＢＳ制御端子７１をリモートコントロール受信回路６９に接続する接点エの位置から、制御回路６３に接続する接点オの位置に切り替えて、ＢＳロック信号をＢＳチューナ６６に送出する。
【０００６】
該ＢＳロック信号を受信したＢＳチューナ６６は、チャンネルロックモードとなり、磁気記録再生装置本体６０のチャンネルキー操作や、リモートコントロール信号によるチャンネル選択を一切受け付けない状態に設定される。
【０００７】
また、タイマによる録画中においては、受信チャンネルをロックするモードを設定することにより、タイマによる録画が終了するまで受信チャンネルの変更を受け付けないこととするＣＡＴＶ用端末器に関する技術が、特開平７−７５０８２号公報「ＣＡＴＶ用端末器」にて開示されている。該公報において開示されているＣＡＴＶ用端末器における構成について、図７を用いて説明する。
【０００８】
即ち、タイマ録画の設定を行なうためのタイマ録画予約画面表示手段７３と、該タイマ録画予約画面にて設定されたタイマ録画開始時刻に録画装置の録画を開始させるタイマ録画開始判定手段７５と、前記タイマ録画予約画面にて設定された録画終了時刻に録画装置の録画を終了させるタイマ録画終了判定手段７６と、受信チャンネルの変更を禁止するチャンネルロック状態か受信チャンネルの変更が可能なチャンネルアンロック状態かを選択することができる設定変更画面の表示手段７４と、タイマ録画が終了した時受信チャンネルの変更が可能なチャンネルアンロック状態に設定する受信チャンネルアンロック手段７７とを備えた構成としたものである。
かかる構成とすることにより、タイマ録画中の受信チャンネルに関する変更の可否を、ユーザが、任意に設定することが可能となり、誤操作などによってタイマ録画中に受信チャンネルの変更がなされることを防止することを可能としている。
【０００９】
【発明が解決しようとする課題】
しかしながら、前述したような従来の技術においては、録画予約の設定がなされた時間帯についてのみ、ＢＳデジタル受信機のチャンネルロックを設定可能とするものであり、ビデオ録画を途中で中止した場合や、実際には録画をしなかった場合、あるいは、急遽、ビデオ録画を開始した場合などにおいては、受信チャンネルのチャンネルロック状態の設定を解除したり、逆に、設定したりするチャンネルロック制御をせしめることが困難であるという問題を有している。
【００１０】
本発明に係るＢＳデジタル受信機は、かかる状況に鑑みてなされたものであり、ＢＳデジタル受信機に接続されているビデオレコーダ装置等の録画装置に現在流れているＡＣ電源電流量を検出して、該録画装置の動作状態を判定することを可能とすることにより、タイマによる録画予約の有無に関わらず、前記ＡＣ電源電流量に基づいて判定された該録画装置の動作状態に適合したＢＳデジタル受信機のチャンネルロック状態の設定／設定解除に関するチャンネルロック制御を可能にせんとするものである。
【００１１】
【課題を解決するための手段】
本発明に係るＢＳデジタル受信機は、前述した課題を解決するための技術手段を提供するものであり、具体的には、以下のごとき技術手段により構成されている。
【００１５】
第１の技術手段は、録画装置を接続して録画をする録画用出力チャンネルの変更を禁止するチャンネルロック状態に設定あるいは設定解除することができるチャンネルロック機構を有するＢＳデジタル受信機において、前記録画装置に現在流れているＡＣ電源電流量を検出するＡＣ電源電流検出手段と、ＢＳデジタル放送信号に含まれて送信されてくる、各種の録画装置と該録画装置毎の動作状態種別と該動作状態種別毎における消費ＡＣ電源電流量とに関わる動作状態情報を受信し、抽出し、かつ、解読することができる動作状態情報解読手段と、該動作状態情報解読手段により解読された前記動作状態情報の中から、当該ＢＳデジタル受信機に接続されている前記録画装置に該当する録画装置を特定することができる録画装置特定手段と、該録画装置特定手段により特定された該録画装置の前記消費ＡＣ電源電流量と前記ＡＣ電源電流検出手段により検出された前記ＡＣ電源電流量とを比較判定する比較判定手段と、を具備し、該比較判定手段により比較判定された前記ＡＣ電源電流量に基づいて、前記チャンネルロック機構を制御して、前記チャンネルロック状態の設定あるいは設定解除を行なわしめることが可能なチャンネルロック制御手段を具備しているＢＳデジタル受信機とすることを特徴とするものである。
【００１６】
第２の技術手段は、前記第１の技術手段に記載のＢＳデジタル受信機において、前記比較判定手段が、当該ＢＳデジタル受信機に接続されている前記録画装置に現在流れている前記ＡＣ電源電流量が、該録画装置の録画動作状態、あるいは、録画再生動作状態にあることを示すＡＣ電源電流量にあると判定された場合に、前記チャンネルロック制御手段をして、前記チャンネルロック機構を制御せしめて、前記チャンネルロック状態の設定を行なわしめるＢＳデジタル受信機とすることを特徴とするものである。
【００１７】
第３の技術手段は、前記第１又は第２の技術手段に記載のＢＳデジタル受信機において、前記チャンネルロック機構により前記チャンネルロック状態に設定された際に、該チャンネルロック状態に設定されている旨を表示することが可能であるＢＳデジタル受信機とすることを特徴とするものである。
【００１８】
【発明の実施の形態】
本発明に係るＢＳデジタル受信機の一実施形態について、以下に、図面を参照しながら説明する。
図１は、本発明に係るＢＳ受信機のチャンネルロック制御機構の一例を説明するためのブロック構成図を示すものである。
【００１９】
図１において、１０は、本発明に係るＢＳデジタル受信機を示し、２０は、当該ＢＳデジタル受信機１０に接続されているビデオレコーダ装置等からなる録画装置を示している。
なお、図１においては、本発明に係るＢＳデジタル受信機におけるチャンネルロック制御機構を説明するために必要とする回路ブロックのみを記載し、その他の回路ブロックは、従来のＢＳデジタル受信機における回路ブロックと同一の構成で構わなく、図１の記述は省略している。
【００２０】
また、本発明に係るＢＳデジタル受信機１０には、以下に示すごとき、チャンンネルロック制御に関する回路ブロックが備えられている。
即ち、１１は、ＢＳデジタル受信機１０にＡＣ電源電流を供給するためのＡＣコンセントであり、１２は、該ＢＳデジタル受信機１０を介して録画装置２０にＡＣ電源電流を供給するためのＡＣ出力部であり、１３は、ＡＣ出力部１２に接続された録画装置２０に現在流れているＡＣ電源電流量を検出するためのＡＣ電源電流検出部である。
【００２１】
更に、１４は、ＡＣ電源電流検出部１３により検出された録画装置２０のＡＣ電源電流量の大小に基づいて、当該ＢＳデジタル受信機１０に接続されている録画装置２０の動作状態を判定するためのＡＣ電源電流判定部であり、１５は、ＡＣ電源電流判定部１４の判定結果に基づいて、当該ＢＳデジタル受信機１０の受信チャンネルをロック／アンロック（即ち、チャンネルロックを設定／設定解除）するための制御を行なうチャンネルロック制御部である。
【００２２】
次に、図１に示すＢＳデジタル受信機のチャンネルロック制御機構の動作について説明する。
ＢＳデジタル受信機１０は、ＡＣコンセント１１を介して、外部から電源の供給を受けている。
一方、ビデオレコーダ装置などからなる録画装置２０のＡＣコンセントは、当該ＢＳデジタル受信機１０のＡＣ出力部１２に接続されて、当該ＢＳデジタル受信機１０より、電源が供給される。
【００２３】
かかる接続状態とすることにより、ＢＳデジタル受信機１０に備えられているＡＣ出力部１２から供給されている電源電流量の大きさを、ＡＣ電源電流検出部１３にて検出することにより、ＢＳデジタル受信機１０側において、録画装置２０の動作状態を把握することが可能となる。
たとえば、ＢＳデジタル受信機１０にタイマ録画の録画開始時刻と録画終了時刻とを設定された状態において、該録画開始時刻に至った際に、録画装置２０に対して録画の開始を指示すると同時に、ＡＣ電源電流検出部１３にてＡＣ出力部１２から現在供給されている電源電流量の大きさを検出することにより、該録画装置２０が録画状態に移行していることを検出することができる。
【００２４】
図２は、一般的に知られているビデオレコーダ装置等の録画装置の動作状態と該録画装置のＡＣ電源電流量との関わりと、更には各動作状態におけるチャンネルロック状態の設定状態の一例を示している図である。
図２においては、「チャンネルロック」の欄に示しているように、当該ＢＳデジタル受信機に接続されている録画装置に流れるＡＣ電源電流量が最も大きい録画動作状態にある場合においてのみ、チャンネルロック状態に設定する場合を例示している。
【００２５】
また、本発明に係るＢＳデジタル受信機のチャンネルロック制御機構においては、録画装置に流れるＡＣ電源電流量の絶対値に基づいて、該録画装置の動作状態を判定する場合のみに限るものではない。たとえば、録画装置の各動作状態において流れるＡＣ電源電流量間の相対的な変化に基づいて、該録画装置の動作状態の変化を判定することも可能である。即ち、チャンネルロック制御部１５をしてチャンネルロック制御を行なわしめるか否かに関するＡＣ電源電流量の大小（即ち、チャンネルロック制御を実施すべきＡＣ電源電流の大きさ）を、録画装置の各動作状態において現在流れているＡＣ電源電流量間の相対的な変化（比較）に基づいて行なわしめることも可能である。
【００２６】
たとえば、図２において、録画装置２０のメインのＡＣ電源が切断されていたり（即ち、「切」の状態にあったり）、当該ＢＳデジタル受信機１０へのＡＣコンセントが接続されていなかったり（即ち、コンセント「抜」の状態にあったり）している際の動作状態は、流れているＡＣ電源電流量が「０」であることにより判定される。また、録画装置２０のメインのＡＣ電源は入っているが、制御部の電源が切断されて（即ち、「ＯＦＦ」状態にされて）、リモコン待ち受け状態にある場合の動作状態は、流れているＡＣ電源電流量が、メインのＡＣ電源が切断状態にある際のＡＣ電源電流量よりは大きいが、他のいかなる動作状態よりも圧倒的に小さい「微小」の電流量であることにより判定がなされる。
【００２７】
更には、録画装置２０のメインのＡＣ電源が入っていて、録画媒体の動作（たとえば、録画テープの走行）はない状態ではあるが、録画装置２０の表示部等が動作していたりしている表示動作状態にある場合の動作状態は、流れているＡＣ電源電流量が、前記リモコン待ち受け状態のＡＣ電源電流量よりも大きいが、録画あるいは再生動作状態の場合に比し、ＡＣ電源電流量がかなり小さい「小」の電流量であることにより判定がなされる。
【００２８】
また、録画装置２０の録画媒体に録画されている画像が再生中の状態である再生動作状態にある場合の動作状態は、流れているＡＣ電源電流量が、前記表示動作状態よりもかなり大きな電流が流れているが、録画動作状態に比してはそれほど大きくはない、「大」の電流量であることにより判定される。
更には、録画装置２０の録画媒体に録画中の状態である録画動作状態にある場合の動作状態は、流れているＡＣ電源電流量が、他のいかなる動作状態よりも大きい、「大＋＋」の最大電流量になっていることにより判定がなされる。
【００２９】
即ち、録画装置２０に現在流れているＡＣ電源電流量のかかる相対的な比較により、ＢＳデジタル受信機１０に接続されているビデオレコーダ装置等の録画装置２０の動作状態を判定することとすれば、当該録画装置２０の機種の如何（即ち、個々の性能）に依存することなく、あらゆる録画装置の動作状態を検出することが可能となり、極めて汎用的な動作状態判定手段及びチャンネルロック制御手段を実現することができる。
【００３０】
次に、本発明に係るＢＳデジタル受信機の動作の一例について、図３及び図４に示す動作フローチャートを用いて説明する。
ここに、図３は、本発明に係るＢＳデジタル受信機において、タイマ録画として登録されている録画開始時刻に至った際に接続されている録画装置に録画の開始を指示すると共に、該録画装置の動作状態を検出するまでの動作を説明するための動作フローチャートである。図４は、本発明に係るＢＳデジタル受信機において、接続されている録画装置の動作状態が録画状態に設定されていることを自動的に検出して、受信チャンネルをチャンネルロック状態に設定するまでの動作を説明するための動作フローチャートである。
【００３１】
まず、図３に示す録画開始時における動作について説明する。
図３に示す動作に先立って、当該ＢＳデジタル受信機１０のＡＣ出力部１２に録画装置２０が接続されている状態において、当該ＢＳデジタル受信機１０側にて、タイマ録画予約を行なう番組の受信チャンネルと該番組の録画開始時刻と録画終了時刻との設定がなされている。
【００３２】
かかる状態において、まず、当該ＢＳデジタル受信機１０にて、タイマ録画として設定されている録画開始時刻に到達したか否かが判定され、該録画開始時刻に達するまで待機状態とされる（ステップＳ３１）。
【００３３】
設定された該録画開始時刻に達していると判定された場合（ステップＳ３１のＹＥＳ）、当該ＢＳデジタル受信機１０の電源が、自動的に投入されて、設定されていた受信チャンネルの選局がなされる。更には、接続されている録画装置２０に対して、録画開始の指令が送出されて、録画装置２０の録画が開始される状態に設定される（ステップＳ３２）。
なお、録画装置２０の録画状態への設定指示をＢＳデジタル受信機１０からの指令に基づいて行なうものとして示したが、かかる場合に限るものではなく、録画装置２０自体が単独で録画開始時刻に達した際に、自ら録画開始状態に移行するようにしても、もちろん、構わない。
【００３４】
また、録画開始時刻到達前に、既に、ＢＳデジタル受信機１０にて視聴されている状態にあった場合、設定されている録画開始時刻に達した時点において、受信チャンネルを自動的に設定されている受信チャンネルに切り替えさせることとしても良いし、あるいは、複数の受信チャンネル機構が備えられている場合には、録画用に設定されている受信チャンネルを、裏番組として、録画チャンネルに設定させて、裏番組録画状態に設定させることとしても構わない。
【００３５】
録画装置２０を録画状態に設定させた後、ＢＳデジタル受信機１０は、ＡＣ電源電流検出部１３において、ＡＣ出力部１２を介して録画装置２０に現在供給されているＡＣ電源電流量を検出する（ステップＳ３３）。
検出されたＡＣ電源電流量は、ＢＳデジタル受信機１０のＡＣ電源電流判定部１４内に記録され、録画装置２０の現在の動作状態を判定するために利用される（ステップＳ３４）。
【００３６】
次に、録画装置２０に現在流れているＡＣ電源電流量の判定結果に基づいて、チャンネルロック状態に設定するまでの動作について、図４を用いて説明する。まず、前記ステップＳ３４にてＡＣ電源電流判定部１４内に記録されている録画装置２０のＡＣ電源電流量が抽出される（ステップＳ４１）。
【００３７】
ここで、ＡＣ電源電流判定部１４においては、録画装置２０の録画動作状態において流れる録画ＡＣ電源電流量が、録画動作状態判定用としてあらかじめ記録されている。
抽出されたＡＣ電源電流量とあらかじめ記録されている前記録画ＡＣ電源電流量との大小の比較が行なわれる。
【００３８】
抽出されたＡＣ電源電流量が、前記録画ＡＣ電源電流量に示されている録画動作状態にある電流量であると判定された場合（ステップＳ４２のＹＥＳ）、チャンネルロック制御部１５に指示を行なうことにより、チャンネルロック制御部１５が、チャンネルロック機構を制御して、以降、受信チャンネルの変更を禁止するチャンネルロック状態に設定せしめる（ステップＳ４３）。また、チャンネルロック状態に設定された旨をユーザに通知するために表示させることも可能である。
ここに、前記チャンネルロック機構は、従来のチャンネルロック機構と同様の構成のものでよく、たとえば、当該ＢＳデジタル受信機１０のチューナの録画用選局動作を固定せしめ、現在の録画受信チャンネル以外へのチャンネル変更を抑止させるものであれば良い。
【００３９】
以上により設定されたチャンネルロック状態は、前記タイマ録画の録画中の時間帯にある間は、設定解除されることなく継続し、該タイマ録画の録画終了時刻に示す時刻に至った場合に、はじめて、解除されることになる。
【００４０】
而して、録画状態にある間に、不注意な誤操作によって、チャンネル切替の操作がなされたとしても、録画中の受信チャンネルはそのままの状態が維持されて、途中で録画状態が切り替わってしまうがごとき不具合の発生を防止することが可能となる。
【００４１】
なお、チャンネルロック状態の設定が解除された場合には、チャンネルロック状態の設定が解除された旨をユーザに通知するために表示させることが可能であり、ユーザはかかる表示を参照して、受信チャンネルの切替操作を行なうことができる。
【００４２】
次に、本発明に係るＢＳデジタル受信機の別の実施例について、図５を用いて説明する。
ここに、図５は、本発明に係るＢＳ受信機のチャンネルロック制御機構に関する別の例を説明するためのブロック構成図を示すものである。なお、図５において、図１と同じ機能を有する回路ブロックについては、図１と同じ符号が付されている。
【００４３】
図５において、５１は、現存する主要なビデオレコーダ装置等の各種録画装置と各該録画装置の動作状態種別と各該録画装置の動作状態種別毎における消費ＡＣ電源電流量との関わりを示す動作状態情報を含むＢＳデジタル放送電波信号を示し、５２は、該ＢＳデジタル放送電波信号５１を受信するＢＳデジタル放送受信アンテナを示している。
また、５３は、ＢＳデジタル放送電波信号５１に含まれている複数の各種の録画装置と各該録画装置の動作状態種別と各該録画装置の該動作状態種別毎における消費ＡＣ電源電流量との関わりを示す動作状態情報（即ち、各動作状態毎に消費されることとなる消費ＡＣ電源電流量を現存する主要な録画装置毎に示している電源電流情報）を、受信し、抽出し、かつ、解読するための動作状態情報解読部である。
【００４４】
更に、５４は、ＡＣ電源電流検出部１３により検出された当該ＢＳデジタル受信機１０に接続の録画装置２０のＡＣ電源電流量と動作状態情報解読部５３により解読された前記動作状態情報に含まれている前記消費ＡＣ電源電流量との比較判定部である。
【００４５】
更には、５５は、動作状態情報解読部５３により解読された前記動作状態情報に含まれている複数の各種録画装置と各該録画装置の動作状態種別と各該録画装置の該動作状態種別毎における消費ＡＣ電源電流量とを一覧表示して、該一覧表示の中から、当該ＢＳデジタル受信機１０に接続されている録画装置を選択指定して特定するための録画装置設定部である。即ち、録画装置設定部５５は、接続されている録画装置を特定するための録画装置特定手段を提供している。
【００４６】
図５に示すＢＳデジタル受信機１０におけるチャンネルロック制御機構の動作について、以下に説明する。
ここで、ＢＳデジタル放送電波信号５１がＢＳデジタル放送受信アンテナ５２により受信されると、ＢＳデジタル放送電波信号５１に含まれている映像信号が抽出され、当該ＢＳデジタル受信機１０本体において、映像信号に復元されて、モニタ画面に表示されることにより、該映像情報であるＢＳデジタル放送番組を視聴させることが可能である。
【００４７】
また、ＢＳデジタル放送電波信号５１には、前記映像信号の他に、データ信号等を多重化して含ませることも可能であり、データ放送等を受信することも可能である。
また、かかるデータ信号を用いて、ＢＳデジタル受信機１０を動作させるために、デジタル受信機の制御部（図示していない）に格納されている制御ソフトウェアの更新等を行なうことも可能である。
【００４８】
即ち、ＢＳデジタル放送電波信号５１には、種々の情報をデジタル多重化して含ませることが可能であり、該ＢＳデジタル放送電波信号５１に、現存する主要な各種の録画装置と各該録画装置に関する動作状態種別と、それぞれの動作状態種別毎における消費ＡＣ電源電流量などに関する録画装置の動作状態情報を重畳多重化させることにより、種々の録画装置の動作状態を、当該ＢＳデジタル受信機において把握させるようにすることも可能である。
【００４９】
而して、ビデオレコーダ装置等、現存する複数の録画装置と各該録画装置の動作状態種別と各該録画装置の該動作状態種別毎における消費ＡＣ電源電流量との関わりを示す動作状態情報を含むＢＳデジタル放送電波信号５１が、ＢＳデジタル放送受信アンテナ５２にて受信されると、動作状態情報解読部５３において、該ＢＳデジタル放送電波信号５１に含まれている前記動作状態情報が受信され、抽出され、かつ、解読がなされ、記憶される。
【００５０】
解読された前記動作状態情報は、動作状態情報解読部５３より、録画装置設定部５５及び比較判定部５４に送出される。
録画装置設定部５５においては、送出されてきた前記動作状態情報に含まれている複数の録画装置と各該録画装置の動作状態種別と各該録画装置の該動作状態種別毎における消費ＡＣ電源電流量とを一覧表示して、ユーザをして、該一覧表示の中から、当該ＢＳデジタル受信機１０に接続されている録画装置２０を選択指定させる。
かかる選択指定により、当該ＢＳデジタル受信機１０に接続されている録画装置２０が特定され、特定された録画装置２０に関する情報が、比較判定部５４に送出される。
【００５１】
而して、比較判定部５４においては、動作状態情報解読部５３から送出されてきた前記動作状態情報の中から、録画装置設定部５５により特定された録画装置に関する各動作状態における消費ＡＣ電源電流量と、ＡＣ電源電流検出部１３において検出されているＡＣ電源電流量とを比較することにより、当該ＢＳデジタル受信機１０に接続されている録画装置２０における現在の動作状態を正確に判定することが可能となる。
【００５２】
したがって、比較判定部５４において、たとえば、当該ＢＳデジタル受信機１０に接続されている録画装置２０が録画動作状態にあると判定された場合においては、比較判定部５４から、チャンネルロック制御部１５に対して、チャンネルロック状態に設定させる旨の制御信号を送出することにより、チャンネルロック機構を制御して、自動的に、当該ＢＳデジタル受信機１０の受信チャンネルの変更を禁止するチャンネルロック状態に設定させることができる。更に、当該ＢＳデジタル受信機１０がチャンネルロック状態に設定された旨をユーザに通知するために表示させることも可能である。
ここに、前記チャンネルロック機構は、従来のチャンネルロック機構と同様の構成のものでよく、たとえば、当該ＢＳデジタル受信機１０のチューナの録画用選局動作を固定せしめ、現在の録画受信チャンネル以外へのチャンネル変更を抑止させるものであれば良い。
【００５３】
また、比較判定部５４において、たとえば、当該ＢＳデジタル受信機１０に接続されている録画装置２０が録画動作状態以外の動作状態にあると判定された場合において、当該ＢＳデジタル受信機１０がチャンネルロック状態に設定されていた際には、チャンネルロック状態の設定を解除せしめると共に、当該ＢＳデジタル受信機１０のチャンネルロック状態の設定が解除された旨をユーザに通知するために表示させることにより、ユーザのチャンネル切替操作を可能とする。
【００５４】
なお、図５に示す場合においては、特定された録画装置に関する前記動作状態情報に含まれている消費ＡＣ電源電流量とＡＣ電源電流検出部１３にて検出されるＡＣ電源電流量とを、比較判定部５４において、常時、比較判定することにより、当該ＢＳデジタル受信機１０に接続されている録画装置２０における現在の動作状態を、正確に判定することが可能となる。
【００５５】
而して、たとえば、録画装置２０が録画動作状態にある場合にのみ、チャンネルロック制御部１５を制御して、当該デジタル受信機１０の受信チャンネルの変更を禁止するチャンネルロック状態に設定せしめたり、逆に、設定されていたチャンネルロック状態を設定解除せしめたりすることが確実に実施可能となる。
【００５６】
したがって、当該ＢＳデジタル受信機１０に接続されている録画装置２０が、タイマ録画予約による録画動作の場合のみに限定されることなく、使用者が、急遽、録画を開始させた場合や、逆に、録画途中で録画を中止させた場合においても、更には、たとえ、タイマ録画予約による録画予約時間帯であったとしても、実際には録画が実施されていない場合においても、同様に、チャンネルロック状態の設定や設定解除を行なわしめることが可能となる。即ち、録画装置の現在の動作状態に適合したチャンネルロック状態の設定あるいは設定解除を行なうチャンネルロック制御が可能となる。
【００５７】
なお、以上に説明した各実施例においては、チャンネルロック状態に設定する場合の録画装置の動作状態が、録画動作状態にある場合を例として説明してきたが、本発明に係るＢＳデジタル受信機におけるチャンネルロック制御は、かかる場合に限定されるものではない。
即ち、本発明に係るＢＳデジタル受信機において、チャンネルロック状態に関する設定／設定解除の動作制御は、あくまでも、当該ＢＳデジタル受信機に接続されているビデオレコーダ装置などの録画装置に現在流れているＡＣ電源電流の大きさに応じて、チャンネルロック状態の設定制御を行なわしめるものであり、該録画装置がいかなる動作状態にあるかによるものではなく、各動作状態によって流れるＡＣ電源電流の大きさが異なる点に着目して、チャンネルロック状態の設定制御を行なわしめるものである。
【００５８】
而して、たとえば、該録画装置が、録画動作状態にある場合のみに限らず、録画動作をさせながら再生動作も行なっているがごとき録画再生動作状態にあった場合であっても、チャンネルロック状態に設定させることが、もちろん、可能である。
【００５９】
【発明の効果】
本発明に係るＢＳデジタル受信機によれば、前述した実施形態に一例を示したごとき構成と動作とすることにより、以下に示す作用効果を得ることができる。
【００６０】
本発明に係るＢＳデジタル受信機によれば、ＢＳデジタル受信機に接続されるビデオレコーダ装置などの録画装置に現在流れているＡＣ電源電流量を検出することにより、該録画装置の動作状態に対応させて、当該デジタル受信機の受信チャンネルの変更を禁止するチャンネルロック状態の設定あるいは設定解除の制御が可能となる。而して、使用者の不注意なチャンネル切替操作がなされた場合であっても、受信チャンネルの変更を防止することができる。
【００６１】
たとえば、ＢＳデジタル受信機に接続されている録画装置の動作状態が「録画動作状態」あるいは「録画再生動作状態」にある場合、該録画装置に現在流れているＡＣ電源電流量が、各動作状態におけるＡＣ電源電流としてあらかじめ記録されているＡＣ電源電流量と比較されることにより、自動的に、かかる動作状態を識別・判定することが可能であり、而して、チャンネルロック状態に設定させることが可能となる。一方、前記録画装置の動作状態が「録画動作状態や録画再生動作状態以外の動作状態」にあることが、現在流れている前記ＡＣ電源電流量に基づいて、識別・判定された場合には、チャンネルロック状態に設定されていれば、自動的に、チャンネルロック状態の設定を解除させて、以降のチャンネルの切替操作を可能とすることができる。
【００６２】
本発明に係るＢＳデジタル受信機によれば、当該ＢＳデジタル受信機に接続されている録画装置の各動作状態において流れるＡＣ電源電流量間の相対的な比較（即ち、各動作状態の変化に伴って生ずるＡＣ電源電流量の相対的な変化）に基づいて、チャンネルロック状態の設定／設定解除の制御を行なわしめるので、異なる仕様からなる各種の録画装置個々の性能に依存することなく、該録画装置の動作状態を検出することが可能となり、汎用性があるチャンネルロック制御が可能となる。
【００６３】
本発明に係るＢＳデジタル受信機によれば、ＢＳ放送信号に含まれている各種録画装置の動作状態情報、即ち、各録画装置の動作状態と該動作状態における消費ＡＣ電源電流量に関する情報の中から現在接続されている録画装置に関する動作状態と該動作状態における消費ＡＣ電源電流量とを抽出することにより、ＢＳデジタル受信機に接続されている録画装置の各動作状態における消費ＡＣ電源電流量を正確に把握することが可能である。
【００６４】
而して、録画装置の現在のＡＣ電源電流値を検出することにより、現在の録画装置の動作状態を確実に検知することができ、タイマ録画による場合に限らず、急遽、録画を開始させた場合や、逆に、急遽、録画を中止させた場合であっても、録画装置の現在の動作状態に適合したチャンネルロック状態に設定したり、設定解除したりすることが可能となる。
【００６５】
本発明に係るＢＳデジタル受信機によれば、ＢＳデジタル受信機が、チャンネル切替操作が不可能なチャンネルロック状態にあるか、あるいは、チャンネル切替操作が可能な状態にあるかが、表示されるので、ユーザに対する利便性の向上を図ることが可能となる。
【図面の簡単な説明】
【図１】本発明に係るＢＳ受信機のチャンネルロック制御機構の一例を説明するためのブロック構成図である。
【図２】ビデオレコーダ装置等の録画装置の動作状態と該録画装置のＡＣ電源電流量との関わりと、更には各動作状態におけるチャンネルロック状態の設定状態の一例を示している図である。
【図３】本発明に係るＢＳデジタル受信機において、タイマ録画として登録されている録画開始時刻に至った際に接続されている録画装置に録画の開始を指示すると共に、該録画装置の動作状態を検出するまでの動作を説明するための動作フローチャートである。
【図４】本発明に係るＢＳデジタル受信機において、接続されている録画装置の動作状態が録画状態に設定されていることを自動的に検出して、受信チャンネルをチャンネルロック状態に設定するまでの動作を説明するための動作フローチャートである。
【図５】本発明に係るＢＳ受信機のチャンネルロック制御機構に関する別の例を説明するためのブロック構成図を示すものである。
【図６】従来技術として開示されている磁気記録再生装置における構成を示すブロック構成図である。
【図７】従来技術として開示されているＣＡＴＶ用端末器における構成を示すブロック構成図である。
【符号の説明】
１０…ＢＳデジタル受信機、１１…ＡＣコンセント、１２…ＡＣ出力部、１３…ＡＣ電源電流検出部、１４…ＡＣ電源電流判定部、１５…チャンネルロック制御部、２０…録画装置、５１…ＢＳデジタル放送電波信号、５２…ＢＳデジタル放送受信アンテナ、５３…動作状態情報解読部、５４…比較判定部、５５…録画装置設定部、６０…磁気記録再生装置本体、６１…走行メカニズム、６２…記録回路、６３…制御回路、６４…ＵＨＦ／ＶＨＦチューナ、６５…切替回路、６６…ＢＳチューナ、６７，６８…入力端子、６９…リモートコントロール受信回路、７０…外部機器、７１…ＢＳ制御端子、７２…切替回路、７３…タイマ録画予約画面表示手段、７４…設定変更画面表示手段、７５…タイマ録画開始判定手段、７６…タイマ録画終了判定手段、７７…受信チャンネルアンロック手段、７８…録画装置、７９…受信チャンネルロック判別手段、８０…受信チャンネルロック動作手段、８１…受信チャンネルアンロック動作手段。
【図１】
0003678350.tif 000002
【図２】
0003678350.tif 000003
【図３】
0003678350.tif 000004
【図４】
0003678350.tif 000005
【図５】
0003678350.tif 000006
【図６】
0003678350.tif 000007
【図７】
0003678350.tif 000008